(57)【要約】  【課題】  ２個のスライダーの肩口側を向い合わせにして装着されたスライドファスナーであっても、ファスナー閉鎖時に生じる肩口端間の隙間を通して水分が容易には浸入しないスライドファスナーを提供する。  【解決手段】  一対のファスナーストリンガー(13)に、各肩口(F) 端を対向させて一対のスライダー(20a,20b) が挿通されたスライドファスナーである。前記一対のスライダー(20a,20b) の肩口(F) 端の当接時又は接近時に、対向する肩口(F) 端間に発生する間隙部を隠蔽する間隙隠蔽部材(30,40,50,60,70,80,90)を有している。この間隙隠蔽部材(30,40,50,60,70,80,90)は、スライダー(20a,20b) と独立して又は一体に、或いは連結部材により連結して設けられる。  【選択図】  図１
2006061378.tif 000002
【特許請求の範囲】
【請求項１】
ファスナーテープ(11)の対向するエレメント取付縁部(15)に沿って列設された複数のファスナーエレメント(12)を有する一対のファスナーストリンガー(13)と、各肩口(F) 端が対向して配され、前記ファスナーエレメント(12)を噛合離脱させる一対のスライダー(20a,20b) とを備えてなり、
前記一対のスライダー(20a,20b) の肩口(F) 端の当接時又は接近時に対向する肩口(F) 端間に発生する間隙部を隠蔽する間隙隠蔽部材(30,40,50,60,70,80,90)を有してなることを特徴とするスライドファスナー。
【請求項２】
前記間隙隠蔽部材(30,40,90)は、前記スライダー(20a,20b) とは独立した単独部材からなる請求項１記載のスライドファスナー。
【請求項３】
前記間隙隠蔽部材(30,40) は、上記一対のファスナーストリンガー(13)が挿通するストリンガー挿通部を有し、列設された上記ファスナーエレメント(12)に沿って摺動可能に構成されてなる請求項２記載のスライドファスナー。
【請求項４】
前記間隙隠蔽部材(50,60,70,80) は前記１対のスライダー(20a,20b) のうち１つのスライダーに取り付けられてなる請求項１記載のスライドファスナー。
【請求項５】
前記間隙隠蔽部材(50)が前記スライダー(20a,20b) の本体(21)に取り付けられてなる請求項４記載のスライドファスナー。
【請求項６】
前記間隙隠蔽部材(60,70) が前記スライダー(20a,20b) の引手本体(61,71) に直接設けられてなる請求項４記載のスライドファスナー。
【請求項７】
前記間隙隠蔽部材(80)が前記スライダー(20a,20b) の引手本体(26)に連結部材(83)を介して結合されてなる請求項４記載のスライドファスナー。
【請求項８】
前記間隙隠蔽部材(30,70,80,90) が前記スライダー(20a,20b) に係脱する係脱部(34,71c-1,81d-1,91a)を更に有してなる請求項２又は４に記載のスライドファスナー。
【発明の詳細な説明】
【技術分野】
【０００１】
本発明は、左右一対のファスナーストリンガーを肩口同士が対向する一対のスライダーに挿通したスライドファスナーに関する。
【背景技術】
【０００２】
この種の２個のスライダーを備えたスライドファスナーは、防水加工または撥水加工がなされた各種の鞄類等にも広く使われている。また、こうしたスライドファスナーが使われている鞄では、往々にしてスライドファスナーを閉じた状態で２個のスライダー間を錠止し、鞄がみだりに開けられないようにしている。防水性を有するスライドファスナーは、繊維材料から織成又は編成したテープを基材として、前記基材の片面又は表裏両面に天然ゴムや合成ゴム等のエラストマー樹脂類にて被覆した防水構造を有し、或いは合成樹脂テープからなり、このファスナーテープの一側縁部に沿ってファスナーエレメントが取着一体化されている。このファスナーエレメントの取着の方法は、ファスナーテープのエレメント取付縁部に予めファスナーエレメントを縫製によって縫着したのち、ファスナーテープの片面にファスナーエレメントの噛合頭部を残してエラストマー樹脂類で水密に被覆し、或いは撥水剤を付与してファスナーテープに取着一体化している。また、例えば特許文献１の図１１及び図１２にも記載されているように、防水性ファスナーテープの縁部に複数のファスナーエレメントを取り付けてエレメント列を形成し、そのエレメント列の上表面および外方側面を防水性材料を連続させて被覆し隆起条を形成し、エレメント間から水などが浸入しないようにしている。
【特許文献１】実開平５−１３０７号公報
【発明の開示】
【発明が解決しようとする課題】
【０００３】
ところで、本発明の対象となる２個のスライダーが挿通されたスライドファスナー、特にその肩口同士を向かい合わせて配される２個のスライダーに左右のファスナーストリンガーを挿通したスライドファスナーにあっては、スライダーをファスナーエレメント上で摺動させてスライドファスナーを閉じたとき、スライダーの前記肩口端同士が当接する。一般のスライダーは、上翼板、下翼板、上下翼板の一端を所要の間隔をおいて連結する連結柱、前記上翼板の上面に立設される引手取付柱、及び前記引手取付柱に取り付けられる引手から構成される。前記上下翼板の左右側縁には上下に向かい合って延在するエレメント案内用フランジを有しており、上下翼板間にＹ字状のエレメント案内通路が形成される。通常、前記連結柱が設けられている側の端部が肩口と呼ばれ、その反対側の端部が後口と呼ばれる。
【０００４】
スライダーの形状は上面視で茸状を呈している。すなわち、肩口は前方に向けて緩く湾曲して突出し、その先端部の湾曲面により笠部が形成され、その中央部から後方に直線的に延びる後口を形成する。また、左右一対のファスナーストリンガーがスライダーに挿通されているとき、同スライダーの前記肩口では連結柱を挟んで左右のファスナーストリンガーが分離して開いた状態にあり、上記後口では左右のファスナーストリンガーのファスナーエレメントが噛合して閉じた状態にある。その結果、２個のスライダーの肩口同士を当接させ或いは最接近させたとき、そのスライダーの肩口の湾曲形状と前記連結柱の存在とにより、２個のスライダーの各肩口端の間には左右のファスナーストリンガーを上下に連通する間隙が必然的に生じるようになる。本明細書では、前記肩口側を前方、後口側を後方とし、引手取付柱の立設側を上方、下翼板側を下方とする。従って、スライダーの前方に向かって左右側を左右方向としている。
【０００５】
前述のように２個のスライダーの各肩口端の間に左右のファスナーストリンガーを上下に貫通する間隙が生じると、例えば雨の日などでは前記間隙を通して水が浸入し、鞄類の内部にまで達するようになる。
【０００６】
本発明は、前述のような従来の課題を解決すべくなされたものであり、その目的は２個のスライダーの肩口側を向い合わせにして装着されたスライドファスナーであっても、ファスナー閉鎖時に生じる肩口端間の隙間を通して水分が容易には浸入しないスライドファスナーを提供することにある。
【課題を解決するための手段】
【０００７】
かかる目的は、本発明の基本的構成である、ファスナーテープの対向するエレメント取付縁部に沿って列設された複数のファスナーエレメントを有する一対のファスナーストリンガーと、各肩口端が対向して配され、前記ファスナーエレメントを噛合離脱させる一対のスライダーとを備えてなり、前記一対のスライダーの肩口端の当接時又は最接近時に肩口端間に発生する間隙部を隠蔽する間隙隠蔽部材を有してなることを特徴とするスライドファスナーにより効果的に達成される。
【０００８】
前記間隙隠蔽部材は、前記スライダーとは独立した単独部材からなる場合と、前記１対のスライダーのうち１つのスライダーに取り付けられている場合とがある。前記間隙隠蔽部材が単独部材からなる場合には、前記間隙部を隠蔽する隠蔽部と上記一対のファスナーストリンガーが挿通するストリンガー挿通部とを有し、列設された上記ファスナーエレメントに沿って摺動可能に構成することが好ましい。また前記間隙隠蔽部材が前記１対のスライダーのうち１つのスライダーに取り付けられる場合、その取付対象としてスライダー本体と引手本体とがあり、更には引手本体に直接設けられる場合と引手本体に連結部材を介して設けられる場合とがある。また、前記間隙隠蔽部材は、前記スライダーに係脱する係脱部を更に有することが望ましい。
【作用効果】
【０００９】
上記間隙隠蔽部材の基本的な機能は、上述のとおり一対のスライダーの肩口端の当接時又は最接近時に肩口端間に発生する間隙部を隠蔽することにある。この間隙隠蔽部材による肩口端間に発生する間隙部を隠蔽することにより、間隙部を通して水分や塵芥などがスライドファスナーの裏面側に浸入することを防ぐことができる。
【００１０】
前記間隙隠蔽部材がスライダーとは独立した別部材である場合としては、間隙隠蔽部材をスライドファスナーに脱着可能に構成する場合と、同間隙隠蔽部材が間隙部を隠蔽する隠蔽部と一対のファスナーストリンガーが挿通するストリンガー挿通部とから構成する場合とがある。いずれの場合も、間隙隠蔽部材をスライダーとは別に単独でスライドファスナーのファスナーエレメントに沿った任意の位置にセットすることができるため、同間隙隠蔽部材のセット位置によりスライドファスナーの開閉位置を予め決めておくことができる。間隙隠蔽部材がスライドファスナーに対して脱着可能である場合には、同間隙隠蔽部材をスライダー、特に引手本体に連結部材を介して連結しておけば、間隙隠蔽部材を遺失することがない。更に間隙隠蔽部材にスライダーに係脱する係脱部を設ける場合には、同係脱部をスライダーに係止させておけば、間隙隠蔽部材がスライダーからみだりに外れることがなくなる。
【発明を実施するための最良の形態】
【００１１】
以下、本発明の最良の実施形態を図面に示す代表的な実施例に基いて具体的に説明する。
【実施例１】
【００１２】
図１〜図６は本発明の実施例１である間隙隠蔽部材が取り付けられたスライドファスナーの要部を示しており、図１はその平面図であり、図２は同スライドファスナーに適用される本発明の特徴的構成部材である間隙隠蔽部材の立体図、図３は図２のIII-III 線に沿った矢視断面図、図４は同間隙隠蔽部材に左右のファスナーストリンガーが挿通された状態を示す縦断面図である。図５及び図６は同間隙隠蔽部材に一対のスライダーが嵌着したときの状態を示す説明図である。なお以下の説明では、ファスナーテープに同一構造の防水性ファスナーテープを例に挙げて説明するが、本実施例におけるファスナーテープは、必ずしも防水性である必要はなく、通常の繊維製のファスナーテープ単体でも、或いは合成樹脂材料からなるファスナーテープであってもよい。この点は、以下に述べる他の実施例についても同様である。
【００１３】
本実施例によるスライドファスナー１の本体１０は、左右一対の防水性ファスナーテープ１１の一側縁部に沿って複数のファスナーエレメント１２が取着された左右一対のファスナーストリンガー１３と、通常の構成を備えた合成樹脂製又は金属製の第１及び第２の２個のスライダー２０ａ，２０ｂと、図示せぬ上下止部とを備えている。防水性の前記ファスナーストリンガー１３は、図４に示すように繊維製織物や編物からなるテープ基材１４のエレメント取付縁部１５の一表面に、合成樹脂からなる１本の線条をコイル状に成形して得られる多数のファスナーエレメント１２からなるファスナーエレメント列１６を縫製により取着したのち、そのエレメント取付側表面とは反対側の基材表面全体に、例えば天然又は合成ゴム材料や各種の合成樹脂からなるエラストマー材料１７をもって被覆一体化して製造される。
【００１４】
コイル状に成形された１個の前記ファスナーエレメント１２は正面視で左右に僅かに長い長円形状を呈し、その長径部の頂点に形成される噛合頭部１２ａと、同噛合頭部１２ａから隣接するファスナーエレメント１２に向けて延びる上下脚部１２ｂと、隣接する上下脚部の間を反転しながら連結する反転部１２ｃとから構成されている。図示例では、ファスナーエレメント１２の縫製時にコイル状のファスナーエレメント列１６の内部に芯紐１８が挿通されてファスナーエレメント１２とともにテープ基材１４に縫着一体化される。
【００１５】
本実施例における上記ファスナーストリンガー１３には、上記第１及び第２のスライダー２０ａ，２０ｂが各肩口Ｆを向かい合わせるようにして挿通されている。各スライダー２０ａ，２０ｂは、例えば図８に仮想線で示すような従来と同様の同一構造を備えており、平面視で茸形状をもつ上下翼板２２，２３と、上下翼板の一端部を所定の間隔をもって連結する連結柱２４と、上翼板２２の上面にあって前後から立ち上がり途中で水平に屈曲した門型の引手取付柱２５と、同取付柱２５に前後方向に回動可能に取り付けられる引手２６（図１参照。）とを有している。ここで、引手２６を除く、上下翼板２２，２３、引手取付柱２５及び及び連結柱２４を総称してスライダー胴体２１という。前記上下翼板２２，２３は、その左右側縁部から上下に接近するようにして延びる上下のエレメント案内フランジを有しており、上下翼板２２，２３の間にＹ字状のファスナーエレメント通路が形成される。
【００１６】
また、本実施例のスライドファスナーにあって、前記２個のスライダー２０ａ，２０ｂの間には、本発明の特徴的構成部材である間隙隠蔽部材３０が摺動自在に取り付けられている。この間隙隠蔽部材３０は、図２〜図６に示すように、上下板部３１，３２と、上下板部３１，３２を所定の間隔をおいて連結する連結部３３とからなる。上下板部３１，３２は同一の外周形状を有し、図示例にあっては方形板材の相対する２辺の中央部をそれぞれ奥に向けて狭まる２次曲線状に切除した上下切除部３１ａ，３２ａが形成されている。この切除部３１ａ，３２ａの形状は、上記スライダー２０ａ，２０ｂの上下翼板２２，２３の各肩口側端部の湾曲形状に倣わせている。ただし、前記上板部３１の前記切除部３１ａの上縁部には、同縁部に沿って各スライダー２０ａ，２０ｂの上翼板２２の各肩口側端部を嵌着させる庇部３１ｃが突設されている。前記下板部３２には前述の庇部は形成されていない。また前記上板部３１の上面中央部には、左右に直線状に延びるリブ状の摘み部３１−１が突設されている。この摘み部３１−１は、図７に示すように排除することもできる。
【００１７】
そして、上下板部３１，３２の前記切除部３１ａ，３２ａが形成されていない対向辺には、それぞれ上下に向けて上下板部３１，３２と直角に互いが接近する方向に延びる左右一対の上下フランジ３１ｂ，３２ｂが形成されている。前記連結部３３は、前記上下板部３１，３２の左右幅中央部にあって、前記左右一対の各フランジ３１ｂ，３２ｂに平行に延びる矩形板状に形成されており、前記上下板部３１，３２、左右一対の上下フランジ３１ｂ，３２ｂ、及び前記連結部３３により囲まれる空間が、左右のファスナーストリンガーの各ファスナーエレメント案内路Ｐを形成する。このファスナーエレメント案内路Ｐと、左右の上下フランジ３１ｂ，３２ｂとの間に形成されるテープ案内間隙Ｄとをもって、本発明のファスナーストリンガー挿通路が構成される。
【００１８】
さて、以上の構成を備えた上記間隙隠蔽部材３０が、その上下板部３１，３２の切除部３１ａ，３２ａを上記第１及び第２スライダー２０ａ，２０ｂの各肩口Ｆに向けて、上述の構成を備えたスライドファスナー本体１の左右ファスナーストリンガー１５に装着される。この間隙隠蔽部材３０は、上述のようにファスナーエレメント案内通路Ｐ及び前記テープ案内間隙Ｄ、すなわち本発明のファスナーストリンガー挿通路を有していることにより、上記スライダー２０と同様に、上板部３１の上面摘み部３１−１を摘んでスライドファスナー本体１０をファスナーエレメント列１３に沿って摺動させることができる。いま、この間隙隠蔽部材３０をスライドファスナー本体１０の任意の位置に止めた状態で、前後の第１及び第２スライダー２０ａ，２０ｂを摺動させて同間隙隠蔽部材３０の上記切除部３１ａ，３２ａに衝接させると、図５に示すように各スライダー２０ａ，２０ｂの上翼板２２の肩口側端部が前記間隙隠蔽部材３０の上切除部３１ａに形成された上記庇部３１ｃに嵌着する。
【００１９】
このように各スライダー２０ａ，２０ｂの上翼板２２の肩口側端部が前記間隙隠蔽部材３０の庇部３１ｃに嵌着するため、各スライダー２０の肩口側端部の周縁を間隙隠蔽部材３０により被覆されるようになり、もし間隙隠蔽部材３０が介装されない時に生じる同肩口側端部間の間隙が間隙隠蔽部材３０により隠蔽されるため、左右のファスナーストリンガー１５間を上下に連通する間隙も隠蔽されて、同間隙を通じて例えば雨水や塵芥などの侵入が効果的に防止できる。また、仮に２個のスライダー２０ａ，２０ｂの各引手２６間を施錠したとき、前記間隙隠蔽部材３０が干渉して各スライダー２０ａ，２０ｂの間において肩口Ｆが上方に突出するように一対のファスナーストリンガー１５を折り曲げることをし難くして、それらのスライダー２０ａ，２０ｂをスライドファスナー本体１０が開く方向に強引に摺動させることも困難となる。その結果、例えば上記スライドファスナー１を装着した鞄類なども簡単にはスライドファスナー本体１０を開くことができず、前記間隙隠蔽部材３０の存在は盗難などの予防にも極めて有効である。
【００２０】
図８は、上記実施例１における間隙隠蔽部材３０の変形例を示している。この変形例によれば、上記間隙隠蔽部材３０の上板部３１に肩口端縁部に形成された上切除部３１ａの周縁の上記庇部３１ｃを上記連結部３３から更に後口側に突設すべく、前記庇部３１ｃと連結部３３との間に更に段部３１ｄを形成している。この段部３１ｄの形成により、第１及び第２のスライダー２０ａ，２０ｂの肩口が上方に向くようにスライドファスナー本体１０を曲げても、例えば図８に仮想線で示すように、両スライダー２０ａ，２０ｂは前記段部３１ｄにてそれ以上傾くことがなく、スライダー胴体２１が間隙隠蔽部材３０の前記連結部３３に接触することがなくなり、各スライダー２０ａ，２０ｂが間隙隠蔽部材３０から離れる方向に移動することがない。
【実施例２】
【００２１】
図９は本発明の実施例２である間隙隠蔽部材が取り付けられたスライドファスナーの要部を示す斜視図、図１０は同スライドファスナーの要部の一部を破断して示す上面図である。
上記実施例１との相違点は、上記間隙隠蔽部材３０の上板部３１の上面中央に突設したリブ状の摘み部３１−１に代えて係止部３４を設けた点にある。その他の構成は上記実施例１と実質的に変わるところがない。本実施例における前記係止部３４は、間隙隠蔽部材３０の前記上板部３１の上面中央部にあって左右のフランジ３１ｂに向けて延びる直方形の突部３４ａと、その突部３４ａの前後面の左右からそれぞれ前後に延出する各一対の計４本の係止杆３４ｂとからなる。左右の各係止杆３４ｂの先端には互いに接近する方向に突出するフック片３４ｂ−１が形成されている。
【００２２】
各左右のフック片３４ｂ−１は上面視で二等辺三角形状に形成され、スライダー２０の肩口Ｆが間隙隠蔽部材３０の上下切除部３１ａ，３２ａに当接するとき、スライダー２０の引手取付柱２５に摺接して弾性的に拡開し、同引手取付柱２５を乗り越えると原形に復帰し、図１０に示すように引手取付柱２５を抱え込むようにして係合し、各スライダー２０を後口側に移動させると同様の動きにより、係合が外れる。このように、本実施例ではスライダー２０ａ，２０ｂが間隙隠蔽部材３０に当接すると、係止杆３４ｂの先端に形成されたフック片３４ｂ−１が第１及び第２のスライダー２０ａ，２０ｂと係合して、その当接姿勢を維持し、前後に配されたスライダー２０ａ，２０ｂの間に形成される間隙の隠蔽を確実にする。
【００２３】
図１１は、上記実施例２における間隙隠蔽部材３０の変形例を示している。この変形例では上記係止部３４の中央突部３４ａを挟んでスライドファスナーの長手方向の前後から突出する係止杆３４ｂのうち、いずれか一方の左右の係止杆３４ｂを排除している。仮に第１スライダー２０ａ側の係止杆３４ｂを排除すると、係止杆３４ｂを有する側の切除部３１ａに嵌着する第２スライダー２０ｂは、その引手取付柱２５に間隙隠蔽部材３０の前記係止杆３４ｂが係合しているため、同間隙隠蔽部材３０は同スライダー２０ｂの摺動とともにスライドファスナー本体１０をファスナーエレメント列１６に沿って摺動する。そのため、第１スライダー２０ａを操作してスライドファスナー本体１０を開くときも、間隙隠蔽部材３０は同スライダー２０ｂの移動に伴って移動し、常に同スライダー２０ｂの移動位置へと移動することになる。一方、上記実施例２のように間隙隠蔽部材３０の前後に延設された係止杆３４ｂを設ける場合には、それぞれの係止杆３４ｂが第１及び第２スライダー２０ａ，２０ｂの各連結柱２４と係合しているため、一方のスライダー２０ａ，２０ｂのいずれかを係止杆３４ｂから外さないかぎり、どちらのスライダー２０ａ，２０ｂも間隙隠蔽部材３０を介して一緒に移動するため、単に第１又は第２のスライダー２０ａ，２０ｂの一方を摺動操作するだけではスライドファスナー本体１０を開くことができない。
【実施例３】
【００２４】
図１２及び図１３は本発明の実施例３による間隙隠蔽部材４０の構造を示しており、図１４及び図１５は同間隙隠蔽部材４０がスライドファスナー本体１０に取り付けられたときの状態を示している。
この実施例による間隙隠蔽部材４０は、図１２及び図１３に示すように、矩形板材からなるフランジ４１ａ，４２ａ付きの上下板部４１，４２と、同上下板部４１，４２の間を連結する連結部４３と、上板部４１の上面の中央部に前記連結部４３と直交して延設され上面４４ａが円弧状に突出した縦壁部４４と、同縦壁部４４の前記上面４４ａに沿って湾曲する半円筒形の隠蔽部４５とから構成されている。この隠蔽部４５は前記縦壁部４４によって間隙隠蔽部材４０を前後に２分され、その前後端部は上板部４１の前後端よりも前後に張り出している。また、前記隠蔽部４５の内径は第１及び第２スライダー２０ａ，２０ｂの肩口部の左右最大幅よりも大きい。前記上下板部４１，４２と、左右一対の各上下フランジ４１ａ，４２ａと、連結部４３との間にエレメント案内通路Ｐを形成し、上下フランジ４１ａ，４２ａにはファスナーテープ１１のテープ挿通間隙Ｄが形成される。これらのエレメント案内通路Ｐ及びテープ挿通間隙Ｄが本発明のストリンガー挿通部を構成する。
【００２５】
かかる構成を備えた本実施例によれば、図１４及び図１５に示すように、肩口Ｆを対向して左右のファスナーストリンガー１５のファスナーエレメント列１６が挿通された一対の第１及び第２スライダー２０ａ，２０ｂが、それらのスライダー２０ａ，２０ｂの間に配され左右のファスナーストリンガー１５を挿通した前記間隙隠蔽部材４０に向けて、スライドファスナー１を閉じる方向に摺動させる。一対のスライダー２０ａ，２０ｂの各肩口Ｆの先端が前記間隙隠蔽部材４０の上下板部４１，４２に当接すると、各スライダー２０ａ，２０ｂの各肩口側端部は間隙隠蔽部材４０の半円筒状の上記隠蔽部４５の下方に位置するようになる。なお、本実施例では上記隠蔽部４５を半円筒状に形成しているが、例えば半角筒状に形成してもよい。
【００２６】
その結果、各スライダー２０ａ，２０ｂの肩口側端部間に生じる間隙が間隙隠蔽部材４０の前後隠蔽部４５により隠蔽されるため、連結柱２４により拡げられた左右のファスナーストリンガー１５間を上下に連通する間隙も隠蔽されて、同間隙を通じて例えば雨水や塵芥などの侵入を効果的に防止するようになる。また、仮に２個のスライダー２０ａ，２０ｂの各引手２６間を施錠したとき、前記間隙隠蔽部材４０の隠蔽部４５と干渉して各スライダー２０ａ，２０ｂの間にて肩口Ｆが上方に突出させるように一対のファスナーストリンガー１５を折り曲げることは不可能となり、それらのスライダー２０ａ，２０ｂをスライドファスナー本体１０の開く方向に摺動させることができなくなり、例えば上記スライドファスナー１を装着した鞄類などにあって簡単にはスライドファスナー本体１０を開くことができず、盗難などの予防にも極めて有効である。
【実施例４】
【００２７】
図１６及び図１７は本発明の実施例４を示している。この実施例では、２個のスライダーのうち一方の第１スライダー１２０は、その上翼板１２１に本発明の特徴的構成部材である間隙隠蔽部材５０を一体に設けている。そこで、まず本実施例によるこの間隙隠蔽部材付きの第１スライダー１２０について図１を参照しながら具体的に説明する。
本実施例による第１スライダー１２０は、同図からも理解できるように、スライダー本体１２１、上下翼板１２２，１２３、同上下翼板１２２，１２３の肩口側の端部間を連結する連結柱１２４と、上翼板１２２の上面に立設された門型の引手取付柱１２５と、同引手取付柱１２５に取り付けられる引手１２６とを有しており、これらの構成自体は前記上翼板１２２を除いて従来のスライダーと本質的に異なるところはない。
【００２８】
ここで、本実施例における本発明の特徴部である間隙隠蔽部材５０はＵ字状の板材からなり、前記スライダー本体１２１の上翼板１２２にあって、引手取付柱１２５の肩口側端部の一部を含んで前記間隙隠蔽部材５０を肩口側の前方に一体に延設している。この間隙隠蔽部材５０の開口側の内周面には、他方の通常の形状及び構造を有する第２スライダー２０の肩口側端部の外周面を嵌合する庇部５１が前記内周面に沿って湾曲して延在している。また、前記第１及び第２スライダー１２０，２０ｂの各上下翼板１２２，１２３，２２，２３間の高さと各板厚とは同一であるため、前記間隙隠蔽部材５０の板厚をスライダー本体１２１の上翼板１２２の上下高さの略２倍としている。図示例にあっては、前記庇部５１の下面から間隙隠蔽部材５０の下面までの高さは、丁度スライダー本体１２１の上翼板１２２の板厚と一致させている。
【００２９】
さて、以上の構成をもつ第１及び第２スライダー１２０，２０ｂに、上記実施例１〜３と同様、その肩口Ｆを対向させて左右のファスナーストリンガー１３が挿通される。いま第１又は第２のスライダー１２０，２０ｂのいずれかを操作して相手方の第２又は第１スライダー２０ｂ，１２０の肩口端部に当接させると、図１７に示すように第２スライダー２０ｂの肩口側端部が第１スライダー１２０の上記間隙隠蔽部材５０の上記庇部５１の下面に嵌合する。その結果、上記実施例１〜４と同様の作用効果を奏するばかりなく、間隙隠蔽部材５０が別体ではなくスライダー本体１２１と一体化されているため、間隙隠蔽部材５０を単独で操作する必要がない。
【００３０】
図１８は上記実施例４における第１スライダー１２０の変形例を示している。この変形例にあっては、スライダー本体１２１と間隙隠蔽部材５０とを異なる材質を使って一体化している。スライダー本体１２１の構成は、従来のそれと変わるところがなく、金属材料から作られる。一方の間隙隠蔽部材５０は、例えば合成樹脂又はゴム類から成形により作られることが好ましい。本変形例では２色成形の手法を用いて金属材料からなるスライダー本体１２１の一部に、エラストマー樹脂からなる間隙隠蔽部材５０を射出成形により成形一体化している。この成形時には、エラストマー樹脂を用いて、スライダー本体１２１の上翼板１２２の上面からその全周面の上部にかけて被覆して成形されるとともに引手取付柱１２５の全表面をも被覆して成形され、同時に上記実施例４における上記形状と同一の形状をもつ間隙隠蔽部材５０が成形される。
【実施例５】
【００３１】
図１９〜図２１には、本発明の実施例５による間隙隠蔽部材６０を備えた第１スライダー２２０ａと間隙隠蔽部材６０を備えない第２スライダー２２０ｂとが示されている。ここで、間隙隠蔽部材６０は引手を兼用している。また、第１及び第２スライダー２２０ａ，２２０ｂのスライダー本体２２１は同一の形状と構造を有している。そのため、第２スライダー２２０ｂの本体２２１を構成する部材に付す符号を第１スライダー２２０ａの本体２２１の対応する部材に付した符号と一致させている。以下の説明では、第１スライダー２２０ａを中心に説明する。
【００３２】
第１及び第２スライダー２２０ａの本体２２１は、左右一対のフランジ２２２ａ，２２３ａを有する上下翼板２２２，２２３と、上下翼板２２２，２２３の肩口側端部を上下に連結する連結柱２２４と、上翼板２２２の上面にあって肩口側端部と後口側部分との間をループ状に上方に突出する門型の摺動操作柱２２５とを備えている。前記摺動操作柱２２５の中間湾曲部には左右に貫通する係着孔２２５ａが形成されている。第１スライダー２２０ａの前記摺動操作柱２２５の閉鎖空間には、本発明の特徴的構成部材である上記間隙隠蔽部材６０が、その一部を挿通して取り付けられる。この間隙隠蔽部材６０は、スライダーの引手をも兼用することから、後述する隠蔽部材本体６１は引手本体に該当する。
【００３３】
前記間隙隠蔽部材６０の隠蔽部材本体６１は、図１９及び図２０に示すように、第１スライダー２２０ａの摺動方向に長い矩形板材からなり、その隠蔽部材本体６１の長手方向の一端にはＵ字状の取付環６２がループ状に延設され、この取付環６２を介して隠蔽部材本体６１を、第１スライダー２２０ａの摺動操作柱２２５の前後に沿って回動可能に取り付けられる。矩形板材からなる前記隠蔽部材本体６１の前記取付環６２が固着された端部中央に凹欠部６１ａが形成されるとともに、同凹欠部６１ａから長手方向に離間する位置に、間隙隠蔽部材６０を回動させたとき相手方の第２スライダー２２０ｂの摺動操作柱２２５を嵌入させるための矩形スリット状の嵌入孔６１ｂが貫通して形成されている。
【００３４】
前記凹欠部６１ａは、図２０に示すように隠蔽部材本体６１を第２スライダー２２０ｂ側に回動して倒伏させて、前記嵌入孔６１ｂに第２スライダー２２０ｂの摺動操作柱２２５を嵌入させたとき第１スライダー２２０ａの摺動操作柱２２５と前記間隙隠蔽部材６０とが干渉しないように形成されている。また、前記凹欠部６１ａと前記矩形スリット状の嵌入孔６１ｂとの間の距離は、第２スライダー２２０ｂの摺動操作柱２２５を前記嵌入孔６１ｂに嵌入させたとき、その間に存在する隠蔽部材本体６１の一部によって、第１及び第２スライダー２２０ａ，２２０ｂの肩口側端部同士が当接したとき、その周辺に生じる全間隙を完全に隠蔽し得る十分な距離をもたせている。なお図示例によると、前記隠蔽部材本体６１の左右側端縁に沿って、同左右側端縁と直交し下方に向けて延出する側壁６１ｃを設けている。これは、第１及び第２スライダー２２０ａ，２２０ｂに側方から吹きつける雨水などの侵入を防止するのに役立つためである。しかし、この側壁６１ｃは必ずしも必要ではなく、隠蔽部材本体６１を単なる平坦材から構成することもできる。
【００３５】
本実施例では、第１スライダー２２０ａの上記隠蔽部材６１の嵌入孔６１ｂに第２スライダー２２０ｂの摺動操作柱２２５を嵌入させたとき、第２スライダー２２０ｂの上翼板２２２の上面に立設された摺動操作柱２２５の中央部に形成された係着孔２２５ａを利用して、図２１に仮想線で示すように南京錠やシリンダ状などの施錠具２を使って施錠することもできる。このように施錠すると、前記隠蔽部材６１が立ち上がることがなく、上述のような雨水などの侵入を防止することに加えて、第１及び第２のスライダー２２０ａ，２２０ｂを上方に突出するように左右のスライドファスナー１を曲げようとしても、隠蔽部材６１と干渉して僅かな角度にまでしか折り曲げることができないため、スライドファスナー１をそれ以上開くことができない。
【実施例６】
【００３６】
図２２及び図２３は、本発明の実施例６による間隙隠蔽部材７０の全体の構成図とその隠蔽機能を示している。これらの図によれば、前記間隙隠蔽部材７０は方形の板厚の厚い板材からなる隠蔽部材本体７１と、同隠蔽部材本体７１の一側面からその板面に平行に突出する上記実施例５と同様の機能を有する矩形ループ状の取付環７２とから構成される。本実施例では第１及び第２スライダー２０ａ，２０ｂは上記実施例１の第１及び第２スライダー２０ａ，２０ｂと同様の形状と構造とを備えている。従って、これらの図にあって第１及び第２スライダー２０ａ，２０ｂの同一部分には同一符号が付してある。本実施例による前記間隙隠蔽部材７０もまた上記実施例５と同様に引手をも兼用し、前記隠蔽部材本体７１は引手本体に当る。また、本実施例では第１スライダー２０ａに前記間隙隠蔽部材７０を取り付けているが、第２スライダー２０ｂには引手も前記間隙隠蔽部材７０も取り付けていない。しかしながら、本実施例にあっては第２スライダー２０ｂにも通常の形状と構造をもつ引手を取り付けるようにしてもよい。
【００３７】
前記隠蔽部材本体７１の一表面には、その中心ランド部７１ａを挟んで前記取付環７２の突出方向に沿って外側に拡がる二次曲線状の一対の第１及び第２凹陥溝部７１ｂ，７１ｃが鏡面対称に形成されている。その第１及び第２凹陥溝部７１ｂ，７１ｃの形状は、前記第１及び第２スライダー２０の各上翼板２２の肩口側端部がそれぞれ嵌合する形状であり、且つ前記上翼板２２の板厚に等しい深さを有している。更に、前記第１凹陥溝部７１ｂの底部にあって前記取付環７２の突出側半部には上記実施例５における凹欠部６１ａに等しい形状をもつ矩形状の第１凹欠部７１ｄが底部を貫通して形成されており、前記第２凹陥溝部７１ｃの底部にあって前記取付環７２の突出側とは反対側半部には、対向する左右内壁面の開口側端部から互いに接近する方向に突出する三角形状の係止突部７１ｃ−１を残して同底部を貫通する第２凹欠部７１ｅが形成されている。
【００３８】
かかる構成を備えた本実施例における前記間隙隠蔽部材７０は、前記取付環７２を介して第１スライダー２０ａの引手取付柱２５の門型空間に挿通して取り付けられている。いま、前記間隙隠蔽部材７０を第２スライダー２０ｂに向けて倒伏させた状態で第１スライダー２０ａの肩口Ｆを第２スライダー２０ｂの相対する肩口Ｆに接近させると、前記間隙隠蔽部材７０の左右の前記係止突部７１ｃ−１の間隔を拡げながら第２スライダー２０ｂの引手取付柱２５に摺接し、左右の係止突部７１ｃ−１が同引手取付柱２５を越えると弾性的に元の形状に戻って引手取付柱２５に係合する。このとき、間隙隠蔽部材７０の第１及び第２凹陥溝部７１ｂ，７１ｃに第１及び第２スライダー２０ａ，２０ｂの肩口部分が嵌まり込み、ランド部７１ａにより第１及び第２スライダー２０ａ，２０ｂ間に生じる隙間を塞ぐ。
【実施例７】
【００３９】
図２４〜図２７は、本発明の実施例７による間隙隠蔽部材８０の全体の構成図とその間隙隠蔽部材８０によるスライダー間の間隙を隠蔽している状態を示している。これらの図によれば、前記間隙隠蔽部材８０は方形の板厚の厚いブロック材からなる隠蔽部材本体８１と、同隠蔽部材本体８１の上面から垂直に立ち上がる門型のテープ取付部８２とから構成される。本実施例にあっても、第１及び第２スライダー２０ａ，２０ｂは上記実施例１の第１及び第２スライダー２０ａ，２０ｂと同様の形状と構造とを備えている。従って、これらの図にあっても第１及び第２スライダー２０ａ，２０ｂの同一部分には同一符号を付している。また、本実施例では第２スライダー２０ｂに前記間隙隠蔽部材８０を取り付けているが、第２スライダー２０ｂではなく第１スライダー２０ａに間隙隠蔽部材８０を取り付けるようにしてもよい。また本実施例にあっては、図示を省略しているが、第１スライダー２０ａにも通常の形状と構造をもつ引手が取り付けられている。
【００４０】
前記隠蔽部材本体８１の下面側には、上記実施例６と同様に、その中心ランド部８１ａを挟んでスライダー２０の摺動方向に沿って外側に拡がる二次曲線状の一対の第１及び第２凹陥溝部８１ｂ，８１ｃが鏡面対称に形成されている。その第１及び第２凹陥溝部８１ｂ，８１ｃの形状は、前記第１及び第２スライダー２０ａ，２０ｂの各上翼板２２の肩口側端部がそれぞれ嵌合する形状であり、且つ前記上翼板２２の板厚に略等しい深さを有している。更に、前記第１及び第２凹陥溝部８１ｂ，８１ｃの底部には、前記ランド部７１ａを挟んでそれぞれ直交する方向に同一構造をもつ第１及び第２凹欠溝８１ｄが鏡面対称にスライダー摺動方向に貫通して形成されている。この第１及び第２凹欠溝８１ｂ，８１ｃの開口側端部の内壁面には、互いに接近する方向に突出する三角断面をもつ係止突起８１ｄ−１が形成されている。
【００４１】
本実施例にあっては、前記間隙隠蔽部材８０を上記実施例６のように引手取付柱２５に取り付けずに、その一端を間隙隠蔽部材８０の上記テープ取付部８２に固着するとともに、他端を引手２６に固着されるテープや紐８３を介して取り付けられる。そのため、引手２６の外側端部にテープや紐８３の端部を挿通する挿通孔２６ａが形成されて、同テープや紐８３の一端部を前記テープ取付部８２に挿通するとともに、他端部を前記挿通孔２６ａに挿通して、それぞれの端部を巻き回しテープや紐８３の本体に接着材により或いは溶着させて固着する。
【００４２】
以上の構成にあって、いま間隙隠蔽部材８０をもって第１及び第２スライダー２０ａ，２０ｂの間隙を隠蔽するには、間隙隠蔽部材８０の１及び第２凹陥溝部８１ｂ，８１ｃに第１及び第２スライダー２０ａ，２０ｂの各肩口Ｆが嵌合するように、間隙隠蔽部材８０の第１及び第２凹陥溝部８１ｂ，８１ｃを第１及び第２スライダー２０ａ，２０ｂに押し付ける。この押付け時に、上記第１及び第２凹欠溝８１ｄに形成された左右一対の各係止突起８１ｄ−１が弾性変形して、図２５に示すように第１及び第２スライダー２０ａ，２０ｂの各引手取付柱２５と上翼板２２の上面との間の空間に嵌まり込み係合固定される。
【実施例８】
【００４３】
図２８〜図３０は、本発明の実施例８を示している。図２８は本発明のスライドファスナーに適用される間隙隠蔽部材の全体構成を斜め下から見た斜視図である。図２９及び図３０は同間隙隠蔽部材をもって第１及び第２の２個のスライダー間の間隙を隠蔽した状態を示している。
【００４４】
本実施例による間隙隠蔽部材９０は横断面がΩ形状をもつ縦断面方向に長い単体からなる。すなわち、長さ方向に延びる断面逆Ｕ字形のトンネル状本体９１と、その幅方向の各側縁に沿って水平に延在する左右のフランジ部９２とを有し、前記トンネル状本体９１の長手方向の両端部の開放側下端部には、同トンネル状本体９１の内壁面から互いに接近する方向に水平に突出する左右一対の半円形断面の係止突起９１ａが突設されている。
【００４５】
いま、本実施例の間隙隠蔽部材９０により第１及び第２のスライダー２０ａ，２０ｂの肩口間に生じる間隙を隠蔽するには、間隙隠蔽部材９０の長手方向両端部に形成された左右一対の係止突起９１ａの間に第１及び第２スライダー２０ａ，２０ｂの各引手取付柱２５が位置するようにして、間隙隠蔽部材９０を上から押圧すると、左右の係止突起９１ａが弾性を利用して前記トンネル状本体９１を拡げながら各引手取付柱２５を乗り越えて、各引手取付柱２５と各上翼板２３の上面の空間部へと移り、弾性的に元の形状に復帰し、図２９及び図３０に示すように、間隙隠蔽部材９０が第１及び第２スライダー２０ａ，２０ｂの間に係合固定される。このとき、第１及び第２スライダー２０ａ，２０ｂの各肩口Ｆの間に形成される間隙の周縁は、間隙隠蔽部材９０の前記トンネル状本体９１及びフランジ部９２とによって隠蔽される。
【００４６】
図３１は、前述の実施例８における間隙隠蔽部材９０の変形例を示している。この変形例は、間隙隠蔽部材９０を断面Ω状とせずに単なる半円形断面のトンネル状本体９１にて構成し、そのトンネル状本体９１の長手方向の両端部に同トンネル状本体９１の天井部から左右一対のフック片９３を垂設している。トンネル状本体９１の長手方向の両端部に形成される左右一対のフック片９３は先端に互いに接近する方向に略９０°に屈曲された爪片９３ａを有している。
【００４７】
この変形例による間隙隠蔽部材９０をもって、第１及び第２のスライダー２０ａ，２０ｂの肩口間に生じる間隙を隠蔽するには、間隙隠蔽部材９０の長手方向両端部に形成された左右一対のフック片９３の間に第１及び第２スライダー２０ａ，２０ｂの各引手取付柱２５が位置するようにして間隙隠蔽部材９０を上から押圧する。この押圧時に、左右のフック片９３が各引手取付柱２５により弾性的に拡げられ、各引手取付柱２５を乗り越えて各引手取付柱２５と各上翼板２３の上面の空間部へと移り、弾性的に元の形状に復帰して、間隙隠蔽部材９０が第１及び第２スライダー２０ａ，２０ｂの間を連結して係合固定される。このとき、第１及び第２スライダー２０ａ，２０ｂの各肩口Ｆの間に形成される間隙の周縁は、間隙隠蔽部材９０の前記トンネル状本体９１によって隠蔽される。
【図面の簡単な説明】
【００４８】
【図１】間隙隠蔽部材を付設した本発明のスライドファスナーの要部を示す平面図である。
【図２】本発明の実施例１に係るスライドファスナーに適用される間隙隠蔽部材を斜め上から見た斜視図である。
【図３】図２のIII-III 線の矢視断面図である。
【図４】図１のIV-IV 線の矢視断面図である。
【図５】第１及び第２スライダーの肩口が間隙隠蔽部材に係合した隠蔽状態を示す要部の平面図である。
【図６】同隠蔽状態にあるときの部分縦断面図である。
【図７】同間隙隠蔽部材の変形例を示す部分斜視図である。
【図８】同間隙隠蔽部材の他の変形例による間隙隠蔽部材の半部を示す断面図である。
【図９】本発明の実施例２に係るスライドファスナーに適用される間隙隠蔽部材の半部を斜め上から見た斜視図である。
【図１０】同変形例の間隙隠蔽部材による間隙隠蔽状態を示す要部平面図である。
【図１１】上記実施例２の変形例を示す要部平面図である。
【図１２】本発明の実施例３に係るスライドファスナーに適用される間隙隠蔽部材を斜め上から見た斜視図である。
【図１３】同部分断面図である。
【図１４】同間隙隠蔽部材により間隙を隠蔽した状態を一部切開して示す要部平面図である。
【図１５】図１４のXV-XV 線の矢視断面図である。
【図１６】本発明の実施例４に係るスライドファスナーの間隙隠蔽部材を備えたスライダーを斜め上から見た斜視図である。
【図１７】同スライダーの間隙隠蔽部材により２個のスライダー間に生じる間隙を隠蔽した状態を示す要部平面図である。
【図１８】同スライダーの変形例を示す縦断面図である。
【図１９】間隙隠蔽部材を備えたスライダーを装着した本発明の実施例５に係るスライドファスナーの要部側面図である。
【図２０】同隠蔽部材により２個のスライダー間に生じる間隙を隠蔽した状態を示す要部平面図である。
【図２１】図２０のXXI-XXI 線に沿った矢視断面図である。
【図２２】本発明の実施例６に係るスライドファスナーに適用される引手を兼用する間隙隠蔽部材を斜め下から見た斜視図である。
【図２３】同隠蔽部材により２個のスライダー間に生じる間隙を隠蔽した状態を示す要部平面図である。
【図２４】本発明の実施例７に係るスライドファスナーに適用される間隙隠蔽部材を斜め下から見た斜視図である。
【図２５】同間隙隠蔽部材による間隙隠蔽時の状態を示す要部縦断面図である。
【図２６】同間隙隠蔽部材を切断して示す間隙隠蔽部材による間隙隠蔽時の要部平面図である。
【図２７】図２５のXXVII-XXVII 線に沿った矢視断面図である。
【図２８】本発明の実施例８に係るスライドファスナーに適用される間隙隠蔽部材を斜め下から見た斜視図である。
【図２９】同間隙隠蔽部材による間隙隠蔽時の状態を示す要部縦断面図である。
【図３０】図２９のXXX-XXX 線に沿った矢視断面図である。
【図３１】実施例８における間隙隠蔽部材の変形例を斜め下から見た斜視図である。
【符号の説明】
【００４９】
１                    スライドファスナー
１０                  スライドファスナー本体
１１                （防水性）ファスナーテープ
１２                  ファスナーエレメント
１２ａ                噛合頭部
１２ｂ                上下脚部
１２ｃ                連結部
１３                  ファスナーストリンガー
１４                  テープ基材
１５                  エレメント取付縁部
１６                  ファスナーエレメント列
１７                  エラストマー樹脂
１８                  芯紐
２０ａ，２０ｂ        第１及び第２スライダー
２１                  スライダー胴体
２２，２３            上下翼板
２４                  連結柱
２５                  引手取付柱
２６                  引手
２６ａ                挿通孔
２２ａ，２３ａ      （上下の）エレメント案内フランジ
３０〜９０            間隙隠蔽部材
３１，３２            上下板部
３１ａ，３２ａ        上下切除部
３１ｂ，３２ｂ        上下フランジ
３１−１              リブ状摘み部
３１ｃ                庇部
３１ｄ                段部
３３                  連結部
３４                  係止部
３４ａ                突部
３４ｂ                係止杆
３４ｂ−１            フック片
４１，４２            上下板部
４１ａ，４２ａ        フランジ
４３                  連結部
４４                  縦壁部
４４ａ                上面
４５                  隠蔽部
５１                  庇部
６１                  隠蔽部本体
６１ａ                凹欠部
６１ｂ                スリット状の嵌入孔
６２                  取付環
７１                  隠蔽部材本体
７１ａ                ランド部
７１ｂ，７１ｃ        第１及び第２凹陥溝部
７１ｄ，７１ｅ        第１及び第２凹欠部
７１ｃ−１            係止突部
７２                  取付環
８１                  隠蔽部材本体
８１ａ                ランド部
８１ｂ，８１ｃ        第１及び第２凹陥溝部
８１ｄ                凹欠溝
８１ｄ−１            係止突起
８２                  テープ取付部
８３                  テープや紐
９１                  トンネル状本体
９１ａ                係止突起
９２                  フランジ部
９３                  フック片
９３ａ                爪部
１２０，２２０ａ      第１スライダー
１２１                スライダー本体
122,123;222,223       上下翼板
１２２ａ,222a,223a    フランジ
１２４，２２４        連結柱
１２５，              引手取付柱
２２５                摺動操作柱
２２５ａ              係着孔
１２６                引手
２２０ｂ              第２スライダー
Ｆ                    肩口
Ｐ                  （間隙隠蔽部材の）ファスナーエレメント案内通路
Ｄ                  （間隙隠蔽部材の）テープ案内間隙
【図１】
2006061378.tif 000003
【図２】
2006061378.tif 000004
【図３】
2006061378.tif 000005
【図４】
2006061378.tif 000006
【図５】
2006061378.tif 000007
【図６】
2006061378.tif 000008
【図７】
2006061378.tif 000009
【図８】
2006061378.tif 000010
【図９】
2006061378.tif 000011
【図１０】
2006061378.tif 000012
【図１１】
2006061378.tif 000013
【図１２】
2006061378.tif 000014
【図１３】
2006061378.tif 000015
【図１４】
2006061378.tif 000016
【図１５】
2006061378.tif 000017
【図１６】
2006061378.tif 000018
【図１７】
2006061378.tif 000019
【図１８】
2006061378.tif 000020
【図１９】
2006061378.tif 000021
【図２０】
2006061378.tif 000022
【図２１】
2006061378.tif 000023
【図２２】
2006061378.tif 000024
【図２３】
2006061378.tif 000025
【図２４】
2006061378.tif 000026
【図２５】
2006061378.tif 000027
【図２６】
2006061378.tif 000028
【図２７】
2006061378.tif 000029
【図２８】
2006061378.tif 000030
【図２９】
2006061378.tif 000031
【図３０】
2006061378.tif 000032
【図３１】
2006061378.tif 000033